(57)【要約】【課題】高齢者等の便器使用者が自立して着座使用をすることができる洋風便器装置を提供する。【解決手段】洋風便器装置１は、便器本体１０の側壁１５の外側に、前方に延びるように設けられたアーム部３０と、アーム部３０の先端部に配された、便座１２に着座した使用者３の衣服６０を、便座１２と略同高さ位置である基準保持位置Ｐ１で保持する保持部４０とを備えている。【選択図】図１
2020031708.tif 000002
【特許請求の範囲】
【請求項１】
便器本体の側壁の外側に、前方に延びるように設けられたアーム部と、該アーム部の先端部に配された、便座に着座した使用者の衣服を、前記便座と略同高さ位置である基準保持位置で保持する保持部とを備えたことを特徴とする洋風便器装置。
【請求項２】
請求項１において、
前記アーム部が伸縮自在とされることを特徴とする洋風便器装置。
【請求項３】
請求項１または２において、
前記アーム部が前記便器本体の両方の側壁に取り付けられていることを特徴とする洋風便器装置。
【請求項４】
請求項１〜３のいずれか１項において、
前記アーム部は、その基端部が前記便器本体に設けた支軸部に取り付けられて、軸支され、前記基準保持位置と、前記便器本体側に背を向けた使用者が起立した状態で衣服を保持する高保持位置との間で回動自在とされていることを特徴とする洋風便器装置。
【請求項５】
請求項１〜４のいずれか１項において、
前記アーム部が把持部を備えたことを特徴とする洋風便器装置。
【発明の詳細な説明】
【技術分野】
【０００１】
本発明は衣服の保持ができる洋風便器装置に関する。
【背景技術】
【０００２】
従来には、便器を使用する際に、使用者の下半身用の衣服を保持できるようにした洋風便器装置が提案されている（例えば、特許文献１参照）。
【先行技術文献】
【特許文献】
【０００３】
【特許文献１】特開平１０−３２８０８０号公報
【発明の概要】
【発明が解決しようとする課題】
【０００４】
ところで、足腰の弱い高齢者や体の不自由な者（以下、高齢者等と言う）が、洋式便器の便座に着座する際にズボンなどの衣服を一人で上げ下ろしできない場合には、介助者がトイレ室に同室して介助することが一般的である。具体的には介助者は、起立した状態の高齢者等の衣服を着脱するように介助する。
【０００５】
このような介助者の手順は、被介助者にとっては下半身を人前で露出することになるので精神的に苦痛を伴うものである。高齢者等が介助をされることなく衣服を着脱できるようにするためには、衣服着脱用の介助器具や、介助器具付きの洋風便器装置が必要とされるが、そのようなものは現状では提案されていない。
【０００６】
なお、上記文献の洋風便器装置は、便器本体に取り付けたアーム部で衣服を保持できるようになっているが、同洋風便器装置は衣服が床面に触れないようにすることを目的としたもので、衣服は床面に触れない程度の、便座よりも低い位置で保持されるにすぎない。つまり、同文献装置を用いても、衣服の保持位置が低すぎて高齢者等が一人で衣服を着衣、脱衣することはできない。
【０００７】
本発明は、このような事情を考慮して提案されたものであって、その目的は、高齢者等の便器使用者が自立して着座使用をすることができる洋風便器装置を提供することにある。
【課題を解決するための手段】
【０００８】
上記目的を達成するために、本発明の洋風便器装置は、便器本体の側壁の外側に、前方に延びるように設けられたアーム部と、アーム部の先端部に配された、便座に着座した使用者の衣服を、便座と略同高さ位置である基準保持位置で保持する保持部とを備えたことを特徴とする。
【発明の効果】
【０００９】
本発明の洋風便器装置は上述した構成とされているため、高齢者等は自立して着座使用をすることができる。
【図面の簡単な説明】
【００１０】
【図１】本発明の一実施形態に係る洋風便器装置の一状態例を示す説明図である。（ａ）はアーム部が基準保持位置の場合の同洋風便器装置の正面図であり、（ｂ）は同平面図である。
【図２】同洋風便器装置の保持部の使用態様の説明図である。（ａ）は同保持部の平面図、（ｂ）は（ａ）のＡ−Ａ線拡大断面図である。
【図３】（ａ）〜（ｃ）は、同洋風便器装置の使用態様例（１／２）の変化を表した模式図である。
【図４】（ａ）〜（ｃ）は、同洋風便器装置の使用態様例（２／２）の変化を表した模式図である。
【図５】本発明の他の実施形態に係る洋風便器装置の一状態例を示す説明図である。（ａ）はアーム部が高保持位置の場合の同洋風便器装置の正面図であり、（ｂ）は同平面図である。
【図６】（ａ）〜（ｄ）は、同洋風便器装置の使用態様例（１／２）の変化を表した模式図である。
【図７】（ａ）〜（ｃ）は、同洋風便器装置の使用態様例（２／２）の変化を表した模式図である。
【図８】他の実施形態に係る洋風便器装置の保持部の使用態様の説明図である。（ａ）は同保持部の平面図、（ｂ）は（ａ）のＢ方向から見た保持部の部分拡大図である。
【発明を実施するための形態】
【００１１】
以下に、本発明の実施の形態について、添付図面を参照して説明する。なお以下の説明においては、洋風便器装置１に着座して使用する場合における使用者３から見た場合の前後方向などを基準として方向を規定している。また図１、図５においては、洋風便器装置１を側方から見たものを正面図として示した。
【００１２】
まず、以下の複数の実施形態に係る洋風便器装置１の共通の基本構成について説明する。
【００１３】
以下に記載の洋風便器装置１は、アーム部３０と保持部４０とを備えている。アーム部３０は、便器本体１０の側壁１５の外側に、前方に延びるように設けられている。保持部４０は、アーム部３０の先端（前端）部に配され、便座１２に着座した使用者３の衣服を、便座１２と略同高さ位置である基準保持位置Ｐ１で保持する。
【００１４】
アーム部３０および保持部４０は金属や合成樹脂などで形成されればよく、素材は限定されない。また、図５において後述する把持部５０についても同様である。また、保持部４０で保持する衣服６０としては、ズボンやスカートなどが挙げられる。
【００１５】
これらの洋風便器装置１の便器本体１０は、ボウル１１と、ボウル１１を側方より囲うように配された周壁１４と、便座１２と、便蓋１３とを備えている。便座１２および便蓋１３は回動により開閉自在とされている。また、周壁１４で囲まれた内部空間のボウル１１の後方には、トラップ装置（不図示）、配管（不図示）などが配されている。
ついで、各実施形態に係る洋風便器装置１の詳細について説明する。
【００１６】
図１〜図４に示した洋風便器装置１は、周壁１４のうちの側壁１５の前後方向の略中央に、棒状のアーム部３０が前方に上り傾斜して延びるように固定され、その前端側には衣服６０を保持するための保持部４０が設けてある。なお、アーム部３０および保持部４０は両方の側壁１５に設けられており、使用者３の左右両側で衣服６０を保持できる構成となっているが、一方の側壁１５のみに設けたものであってもよい。
【００１７】
アーム部３０は、側壁１５側の基端部３１から直線棒状に延びたアーム本体３２と、その前端に配された回動用支軸部２１と、この回動用支軸部２１により上下に回動自在とした伸縮部３３とを備えている。回動用支軸部２１は抵抗のある軸部とされ、保持部４０に衣服６０を保持させた状態で、衣服６０による重力で下方に回動しないようにしたものとすることが望ましい。また、回動用支軸部２１は回動をロックできる構造であってもよい。
【００１８】
アーム部３０は、その基端部３１が周壁１４の側壁１５に対して着脱自在に固定されている。なお、アーム部３０は側壁１５に設けた支軸部で回動自在としてもよいが、その場合でも回動がロックできるようにすることが望ましい。
【００１９】
伸縮部３３は、段階的に伸縮する伸縮ロッドで構成されているが、これに代えて曲げが可能なフレキシブルチューブを用いてもよいし、その他の伸縮構造を採用してもよい。また、アーム部３０全体をフレキシブルチューブで構成してもよい。
【００２０】
保持部４０は、保持部本体４１が板状体とされ、その板面が側方（左右方向）を向くようにアーム部３０の前端側に配されている。保持部４０の後部には抵抗がある回動用支軸部２２が配され、その回動用支軸部２２が伸縮部３３の前端に上下に回動可能に接続されている。また、保持部本体４１の内側の前後には突部４２が突出形成されている。この保持部４０は、アーム部３０（伸縮部３３）が伸縮自在であるため、前後方向に位置調整が可能とされている。
【００２１】
保持部４０のそれぞれは、前後方向に設けた２つの回動用支軸部２１、２２により、高さ位置についても調整が可能とされ、両保持部４０を調整することで、図１（ａ）に示すように、正面視で重なり合うように同高さ位置に位置決めすることができる。なお保持部４０は、図１（ａ）のように、便座１２と略同高さ位置である基準保持位置Ｐ１に、床面５に略平行となるように位置調整しておくことが、使用するうえでは望ましい。
【００２２】
このように両保持部４０の位置調整をすれば、図１（ｂ）に示すように、両保持部４０の保持部本体４１と突部４２とで、衣服６０（図２参照）を保持するための、平面視で長方形状の仮想環状体Ｒを形成することができる。この仮想環状体Ｒの内側から外側へ衣服６０の上部６１を巻きつけるようなイメージで、衣服６０は保持される。なお、突部４２を有しない保持部４０であってもよいが、保持した衣服がずり落ちにくくするために、突部４２が設けてあることが望ましい。
【００２３】
より具体的には、両保持部４０で、図２（ａ）（ｂ）に示すように、衣服６０（ズボン）の上部６１を、仮想環状体Ｒの内側から外側へと保持部本体４１を覆うように巻きつけ、引っ掛けることで衣服は保持される。図２中、６２はズボン６０の脚部空間である。
【００２４】
このように、ズボン６０はその上部を巻きつけるように保持部４０に引っ掛けるだけで保持される。また、保持部本体４１と両突部４２とにより、ズボン６０の上部開口６３を長方形状に広げた状態に保持することができる。また、保持部４０の上面には、衣服６０のずり落ちを防止するために滑り止め用の突起や微細凹凸などを設けることが望ましい。
【００２５】
高齢者等の使用者３は、この洋風便器装置１を、例えば図３、図４に示すように利用すればよい。なお、保持部４０は使用者３が使用する際に常時、基準保持位置Ｐ１に配された状態に固定されている。もちろん使用する際に高さ位置の調整を行ってもよい。なお図３、図４では、アーム部３０を、アーム本体３２、伸縮部３３の別なく、簡略図として示した。
【００２６】
使用者３は、便器本体１０の前で起立した状態から便座１２に着座し、その状態においてズボン６０を下げ、基準保持位置Ｐ１にある保持部４０に、ズボン６０の上部６１（胴回り部分）を引っ掛ける（図３（ａ）〜（ｃ）参照）。
【００２７】
使用者３は着座状態で用を足した後、保持部４０よりズボン６０を取り外し、ズボン６０を引き上げながら立ち上がる（図４（ａ）（ｂ）参照）。このようして使用者３は、衣服６０の脱衣、便器使用および着衣が完了する。使用者３は、その後、便器本体１０より離れればよい（図４（ｃ）参照）。
【００２８】
このように、本洋風便器装置１は保持部４０が便座１２と略同高さ位置である基準保持位置Ｐ１で衣服６０を保持できるように構成されているため、低い位置に手を伸ばして衣服６０を持ち上げる必要がなくなる。そのため、高齢者等の使用者３であっても、介助されることなく、自立して便器本体１０を使用することができる。また、衣服６０は保持部４０により保持されている間、床面５に触れないように維持されるため衛生的でもある。したがって、アーム部３０および保持部４０は、健常者にとっても有効に利用することができる。
【００２９】
また、伸縮自在なアーム部３０（伸縮部３３）と２つの回動用支軸部２２、２１により保持部４０の前後位置や高さ位置が調整可能とされているため、使用者３は自身の起立位置や着座位置に合わせて保持部４０の位置を調整することができる。またさらに、ズボン６０は上部６１を大きく広げた状態で保持されているため、使用者３は着座中にズボン６０のウエスト部分が身体に触れにくくなり快適に着座することができ、またその後の着衣もしやすくなる。
【００３０】
つぎに、図５〜図７に示した洋風便器装置１について説明する。なお、保持部４０については、図１、図２に示した洋風便器装置１のものと同じ形状であるため、その使用態様の説明図は不図示とし、図２で代替する。
【００３１】
この洋風便器装置１は、周壁１４のうちの側壁１５の前後方向の略中央に、棒状のアーム部３０が前方に延び、上下に回動可能なように接続され、その前端側には使用者３が手で掴むことのできる把持部５０が設けてある。さらに把持部５０の前端側に、衣服６０を保持するための保持部４０が設けてある。なお、アーム部３０および保持部４０は両方の側壁１５に設けられており、使用者３の左右両側で衣服６０を保持できるようになっているが、一方の側壁１５のみに設けるようにしてもよい。
【００３２】
アーム３０部は、その基端部３１が側壁１５に対して着脱可能に接続とされ、かつアーム部３０全体が回動可能となるように軸支されている。基端部３１と回動用支軸部２３の連結部分には、回動が禁止されるロック機構が設けてあることが望ましい。このアーム部３０は、段階的に伸縮する伸縮ロッドで構成されているが、これに代えて曲げが可能なフレキシブルチューブを用いてもよい。
【００３３】
把持部５０はアーム部３０の前端に回動用支軸部２４を介して連結されている。この回動用支軸部２４は、把持部５０が高齢者等の使用者３が衣服６０を着脱する際に把持する部位であるため、ロック機構を備えていることが望ましい。また、把持部５０は図例のように手指で把持しやすい形状とすることが望ましい。
【００３４】
保持部４０は、図１のものと同形状とされ、後部に取りつけられた抵抗がある回動用支軸部２５を介して、把持部５０の前端に上下に回動可能に接続されている。また、保持部本体４１の内側の前後には突部４２が突出形成されている。この保持部４０は、アーム部３０が伸縮自在であるため、前後方向に位置調整が可能とされている。
【００３５】
保持部４０のそれぞれは、前後方向に設けた３つの回動用支軸部２５、２４、２３により、高さ位置についても調整が可能とされ、両保持部４０を調整することで、図５（ａ）に示すように、正面視で重なり合うように同位置に位置決めすることができる。なお保持部４０は、例えば図５（ａ）のように、便座１２と略同高さ位置である基準保持位置Ｐ１（図６（ｄ）参照）よりも高い高保持位置Ｐ２に、床面５に略平行となるように位置調整することもできる。
【００３６】
このように両保持部４０の位置調整をすれば、図１（ｂ）に示すように、両保持部４０の保持部本体４１と突部４２とで、衣服６０を保持するために、平面視で長方形状の仮想環状体Ｒを形成することができる。
【００３７】
図５（ａ）に示した、保持部４０の高保持位置Ｐ２は、便器本体１０側に背を向けた使用者３が起立した状態で衣服６０を保持するための位置である。保持部４０は高保持位置Ｐ２で衣服６０を保持できるため、高齢者等の使用者３は、本洋風便器装置１を、図６、図７に示したような手順で用いることができる。なお図６、図７では、アーム部３０を簡略図として示した。
【００３８】
使用者３は、便器本体１０の前で起立した状態で、高保持位置Ｐ２にある保持部４０に着衣状態のズボン６０の上部６１を引っ掛ける（図６（ａ）（ｂ）参照）。その状態において、使用者３は把持部５０を把持してアーム部３０を収縮させていき、保持部４０を下方に移動させながらズボン６０を下げ、それとともに便座１２に着座する（図６（ｃ）（ｄ）参照）。使用者３が着座したときには保持部４０は基準保持位置Ｐ１にある。
【００３９】
使用者３は着座状態で用を足した後、起立しながら保持部４０を高保持位置Ｐ２に移動させることでズボン６０を引き上げ、ズボン６０を着衣した状態でズボン６０を保持部４０より取り外す（図７（ａ）（ｂ）参照）。こうして使用者３は、衣服６０の脱衣、便器使用および着衣が完了する。使用者３は、その後、便器本体１０より離れればよい（図７（ｃ）参照）。
【００４０】
このように、本洋風便器装置１は、保持部４０が基準保持位置Ｐ１と高保持位置Ｐ２とのすくなくとも２箇所で衣服６０を保持できるように構成されているため、高齢者等の使用者３は、介助されることなく、自立して便器本体１０を使用することができる。
【００４１】
また、本洋風便器装置１を用いた上記手順によれば、上述したように、衣服６０を保持部４０に取りつけ、または衣服６０を保持部４０より取り外す際には衣服６０を着衣した状態にある。したがって、ズボン６０の保持部４０への取りつけ（図６（ｂ）参照）、取り外し（図７（ｂ））を、介助者に介助してもらうこともできる。このように介助された場合には、使用者３が下半身を他人に見られることはないため、精神的な苦痛を感じることはない。
【００４２】
また、伸縮自在なアーム部３０と３つの回動用支軸部２５、２４、２３により保持部４０の前後位置や高さ位置が調整可能とされているため、使用者３は自身の起立位置に合わせて保持部４０の位置を調整することができる。したがって、基準保持位置Ｐ１、高保持位置Ｐ２以外の高さ位置で衣服６０を保持するような使い方もできる。例えば、健常者が保持部４０を便座１２よりも低い位置に移動させ、その保持部４０に衣服６０を保持させて、衣服６０を床面５に触れさせないように使用することもできる。
【００４３】
以上の２種の実施形態に係る洋風便器装置１では、保持部４０として板状体のものが用いてあるが、図８に示した保持部４０Ａを用いてもよい。この保持部４０Ａも回動用支軸部２６により回動可能に、アーム部３０あるいは把持部５０に連結されている。なお図８では、保持部４０Ａのみを部分的に図示した。
【００４４】
この保持部４０Ａは、衣服６０の上部６１を挟み込みできる挟持構造を有している。具体的には保持部４０Ａは、図８（ｂ）に示すように、衣服６０の上部６１を載せ置く台部４４と、ローラー状の押さえ部４５と、その押さえ部４５を台部４４側へと弾性付勢させたばね足部４６と、押さえ部４５をばね足部４６を介して支持する保持部本体４７とを備えている。衣服６０は、その上部６１が台部４４と押さえ部４５との間に弾性的に挟み込まれることで保持部４０Ａに保持される。
【００４５】
以上に示した洋風便器装置１は、アーム部３０が便器本体１０に連結したものであるが、アーム部３０が床面５に取りつけられたものであってもよい。アーム部３０が固定されるものである場合（図１参照）には、アーム部３０が床面５に固定されるようにして、保持部４０が基準保持位置Ｐ１に配されるようにすればよい。また、アーム部３０が可動するものである場合（図５参照）には、ユニバーサルジョイント構造などの回動自在構造にてアーム部３０が床面５に取りつけられるようにすればよい。
【００４６】
また、便器本体１０の側壁１５の外側に、床面５に略平行なアーム部３０と把持部５０とを兼ねた手すりを設けて、その手すりの前端に保持部４０を配した構造としてもよい。この保持部４０についても、便座１２と略同高さ位置である基準保持位置Ｐ１に固定されるか、可動により基準保持位置Ｐ１に配されることが望ましい。
【符号の説明】
【００４７】
１          洋風便器装置
３          使用者
５          床面
１０        便器本体
１５        側壁
３０        アーム部
３１        基端部
３２        アーム本体
３３        伸縮部
４０        保持部
４１        保持部本体
４２        突部
４０Ａ      保持部
４４        台部
４５        押さえ部
４６        ばね足部
４７        保持部本体
５０        把持部
６０        衣服（ズボン）
Ｐ１        基準保持位置
Ｐ２        高保持位置
【図１】
2020031708.tif 000003
【図２】
2020031708.tif 000004
【図３】
2020031708.tif 000005
【図４】
2020031708.tif 000006
【図５】
2020031708.tif 000007
【図６】
2020031708.tif 000008
【図７】
2020031708.tif 000009
【図８】
2020031708.tif 000010